(57)【要約】  本発明は、少なくとも２つの要素１を有するループ構造体７に関し、各要素１は、別の要素１の少なくとも１つのループ５と係合する少なくとも１つのループ５を有する。本発明は、要素１の各々が、少なくとも部分的に可撓性材料から作製された複数のストランド２を有し、要素１のストランド２が織物状に処理され、特に、編組され、織り合わされ、編まれ及び／又は編み合わされて、要素の長手方向において互いに間隔を空けて配置された少なくとも２つのウェブ３を形成し、ストランド２は区画毎に分離され、各部分は翼状部４を形成するように織物状に処理され、少なくとも２つの脚部４が首部３のうちの２つを互いに接続し、ループ５は脚部４から形成されることを提案する。本発明はまた、上述したループ構造体７を製造する方法とループ５を有する要素１とに関する。【選択図】図５ｂ
2020516778.tif 000002
【特許請求の範囲】
【請求項１】
少なくとも２つの要素（１）を備え、各要素（１）は少なくとも１つのループ（５）を備え、該少なくとも１つのループ（５）は更なる要素（１）の少なくとも１つのループ（５）と組み合う、ループ構造体であって、
前記要素（１）の各々は、少なくとも部分的に可撓性材料の複数のストランド（２）を有し、
前記要素（１）の前記ストランド（２）は、該要素（１）の長手方向において互いに間隔を空けて配置される少なくとも２つのウェブになるように織物状に処理され、特に、該ストランド（２）は、編組され、織られ、編まれ、及び／又はメッシュにされており、
前記ストランド（２）は区画に分割されており、
各部分は、翼状部（４）になるように織物状に処理されており、少なくとも２つの翼状部（４）は、前記ウェブ（３）のうちの２つを互いに接続しており、
前記ループ（５）は前記翼状部（４）から形成されていることを特徴とする、ループ構造体。
【請求項２】
前記ストランド（２）は、前記要素（１）の端部において互いに接続され、特に、接着され、溶接され、結び付けられ、継ぎ合わされ、縫い合わされ、及び／又は融着されていることを特徴とする、請求項１に記載のループ構造体。
【請求項３】
前記翼状部（４）は、織物状に輪形に加工されており、好ましくは、前記要素（１）の端部に位置する前記ウェブ（３）及び／又は翼状部（４）は、１つ以上の翼状部（４）内に裏返されていることを特徴とする、請求項１又は２に記載のループ構造体。
【請求項４】
隣接するウェブ（３）及び翼状部（４）の間に移行ゾーン（６）が設けられており、該移行ゾーンは、前記ウェブ（３）の織物状加工パターン、特に、編組パターン、織パターン、編パターン及び／又はメッシュパターンとは異なるが、前記翼状部（４）のストランド（２）は互いに交差及び／又は接続していることを特徴とする、請求項１〜３のいずれか一項に記載のループ構造体。
【請求項５】
前記ストランド（２）は、天然繊維、合成繊維、ガラス繊維、炭素繊維、金属繊維、プラスチックワイヤー及び／又は金属ワイヤーを含むことを特徴とする、請求項１〜４のいずれか一項に記載のループ構造体。
【請求項６】
前記ループ構造体（７）はリンクチェーンであり、各要素（１）は厳密に２つのウェブ（３）と少なくとも２つの翼状部（４）とを有し、前記翼状部（４）のうちの２つは、前記ウェブ（３）を互いに接続し、ループ（５）を形成していることを特徴とする、請求項１〜５のいずれか一項に記載のループ構造体。
【請求項７】
請求項１〜６のいずれか一項に記載のループ構造体（７）を製造する方法であって、少なくとも２つの原要素（８）が、少なくとも部分的に可撓性材料製の複数のストランド（２）から織物状に加工され、特に、編組され、織られ、編まれ、及び／又はメッシュにされ、前記原要素（８）は、ウェブ（３）、少なくとも２つの翼状部（４）及び再度ウェブ（３）を交互に有し、前記ウェブ（３）は、前記原要素（８）に割り当てられた前記ストランド（２）を備え、該ストランド（２）は区画に分割され、前記翼状部（４）の各々は前記ストランド（２）の一部を備え、前記翼状部（４）はループ（５）を形成し、前記様々な原要素（８）のループ（５）が互いに組み合うことを特徴とする、方法。
【請求項８】
前記原要素（８）の前記ウェブ（３）及び／又は翼状部（４）のうちのいくつか又は全ては、前記ループ構造体（７）の個々の要素（１）を得るために、切り離され、特に切断され及び／又は溶解されることを特徴とする、請求項７に記載の方法。
【請求項９】
前記原要素（８）は、織物状加工の後にかつ切離しの前に引き伸ばされることを特徴とする、請求項７又は８に記載の方法。
【請求項１０】
前記要素（１）の端部における前記ストランド（２）は、互いに接続され、特に、接着され、溶接され、結び付けられ、継ぎ合わされ、縫い合わされ、及び／又は融着されることを特徴とする、請求項７〜９のいずれか一項に記載の方法。
【請求項１１】
前記翼状部（４）は、織物状に輪形に加工され、好ましくは、前記ウェブ（３）を切り離し、ストランド（２）を接続した後、前記要素（１）の端部に位置する前記ウェブ（３）及び／又は翼状部（４）が１つ以上の翼状部（４）内に裏返されることを特徴とする、請求項７〜１０のいずれか一項に記載の方法。
【請求項１２】
前記ウェブ（３）及び翼状部（４）の間に移行ゾーン（６）が織物状に加工され、該移行ゾーンは、前記ウェブ（３）の織物状加工パターン、特に、編組パターン、織パターン、編パターン及び／又はメッシュパターンとは異なるが、前記翼状部（４）のストランド（２）は互いに交差及び／又は接続することを特徴とする、請求項７〜１１のいずれか一項に記載の方法。
【請求項１３】
前記ストランド（２）は、天然繊維、合成繊維、ガラス繊維、炭素繊維、金属繊維、プラスチックワイヤー及び／又は金属ワイヤーを含むことを特徴とする、請求項７〜１２のいずれか一項に記載の方法。
【請求項１４】
厳密に２つの原要素（８）が織物状に加工され、前記原要素（８）の前記ループ（５）のうちの少なくともいくつかは交互に組み合い、前記原要素（８）は、各々、互いに組み合う前記ループ（５）のうちの２つの間で分離され、その結果、リンクチェーンが形成されることを特徴とする、請求項７〜１３のいずれか一項に記載の方法。
【請求項１５】
前記織物状加工は、細幅織物を製造する機械、特に、バリエーション編組機、３Ｄ編組機、リボン織機、経編機及び／又は編機を用いて行われることを特徴とする、請求項７〜１４のいずれか一項に記載の方法。
【請求項１６】
ループ（５）を有する要素であって、
前記要素（１）は複数のストランド（２）を有し、該ストランド（２）のうちの少なくともいくつかは可撓性材料から作製されており、
要素（１）の前記ストランド（２）は、該要素（１）の長手方向において互いに間隔を空けて配置される少なくとも２つのウェブになるように織物状に処理され、特に、該ストランド（２）は、編組され、織られ、編まれ、及び／又はメッシュにされており、
前記ストランド（２）は区画に分割されており、
各部分は、翼状部（４）になるように織物状に処理されており、少なくとも２つの翼状部（４）は、前記ウェブ（３）のうちの２つを互いに接続しており、
前記ループ（５）は前記翼状部（４）から形成されていることを特徴とする、要素。
【請求項１７】
前記ストランド（２）は、前記要素（１）の端部において互いに接続され、特に、接着され、溶接され、結び付けられ、継ぎ合わされ、縫い合わされ、及び／又は融着されていることを特徴とする、請求項１６に記載の要素。
【請求項１８】
前記翼状部（４）は、織物状に輪形に加工されており、好ましくは、前記要素（１）の前記端部に位置する前記ウェブ（３）及び／又は翼状部（４）は、１つ以上の翼状部（４）内に裏返されていることを特徴とする、請求項１６又は１７に記載の要素。
【請求項１９】
隣接するウェブ（３）及び翼状部（４）の間に移行ゾーン（６）が設けられており、該移行ゾーンは、ウェブ（３）の織物状加工パターン、特に、編組パターン、織パターン、編パターン及び／又はメッシュパターンとは異なるが、前記翼状部（４）のストランド（２）は互いに交差及び／又は接続していることを特徴とする、請求項１６〜１８のいずれか一項に記載の要素。
【請求項２０】
前記ストランド（２）は、天然繊維、合成繊維、ガラス繊維、炭素繊維、金属繊維、プラスチックワイヤー及び／又は金属ワイヤーを含むことを特徴とする、請求項１６〜１９のいずれか一項に記載の要素。
【発明の詳細な説明】
【技術分野】
【０００１】
本発明は、少なくとも２つの要素を備え、各要素が、更なる要素の少なくとも１つのループと組み合う少なくとも１つのループを備える、ループ構造体と、こうしたループ構造体を製造する方法と、要素とに関する。
【背景技術】
【０００２】
最も頻繁に出現し、使用される可能性が高いループ構造体の形態はチェーンである。鉄等の金属から作製されたリンクを備えるチェーンは、数千年にわたって知られている。それらは、積荷を持ち上げるか又は引っ張る、貨物を縛る等、多種多様な目的で使用されるが、荷のない状態で、例えば、立入禁止線を張るか又は装飾のためにも使用される。
【０００３】
金属製のリンクを備えたチェーンの不都合は、重量が大きく、硬質であって他の物体に損傷を与える可能性があり、腐食しやすく、導電性である、ということであり、又はそういうことである可能性がある。
【０００４】
高い引張力も吸収することができる布製リンクチェーンは、こうした不都合を有していない。こうした布製リンクチェーンは、例えば、特許文献１に開示されている。そこでは、個々のループは、２つの端部を備えた可撓性材料からなり、それらの端部は互いにオーバーラップし、縫合される。
【０００５】
しかしながら、この解決法の不都合は、ループの各々を個々に縫い付けなければならないということであり、それは、非常に高い製造努力を意味する。
【先行技術文献】
【特許文献】
【０００６】
【特許文献１】国際公開第００／１７０８５号公報
【発明の概要】
【発明が解決しようとする課題】
【０００７】
したがって、本発明の目的は、より少ない製造努力で製造することができるループ構造体を生成することである。
【課題を解決するための手段】
【０００８】
この目的は、独立特許請求項の特徴を備えたループ構造体とそうしたループ構造体を製造する方法とによって達成される。
【０００９】
少なくとも２つの要素を備えるループ構造体を提案する。各要素は、更なる要素の少なくとも１つのループと組み合う少なくとも１つのループを有する。したがって、最も単純なループ構造体は、各々が１つのループを有する２つの要素を備え、２つのループは組み合う。しかしながら、包括的な用語の範囲内で、リンクチェーン、縄梯子、網及び非常に複雑なループ構造体もまた考えられる。
【００１０】
本発明によれば、要素の各々はいくつかのストランドを有し、ストランドのうちの少なくともいくつかは可撓性材料から作製される。したがって、ストランドのうちのいくつかが非可撓性材料から作製されることも可能である。要素のストランドは、要素の長手方向において互いに間隔を空けて配置される少なくとも２つのウェブになるように、織物状に処理される。織物状処理は、特に、編組、織り、編み及び／又はメッシュ化として理解されるが、かぎ針編み又は連結等の他の方法も考えられる。可撓性材料は、織物状に処理することができる場合（したがって、特に、編組する、織る、編む及び／又はメッシュにすることができる場合）、ループ構造体にも使用することができる。実際に使用される材料は、ループ構造体の要件によって決まる。要素のストランドは、互いに間隔を空けて配置されるウェブになるように、織物状に処理される。大部分は、ウェブの長さは、用途に応じて自由に選択することができる。ウェブの長さは、更には、ウェブが、本質的に、ストランドのうちのいくつか又はそれより多くの１つのみの交差部であるように短いものとすることができる。織物状加工パターン、特に、編組、織り、編み及び／又はメッシュパターンもまた、大部分は自由に選択することができる。用途に応じて、例えば、平らな又は丸い織物状加工パターンが有利である場合がある。（例えば、コア内の）ストランドのうちのいくつかが、織物状に処理されずに伸びている、すなわち、本質的に直線状であることも可能である。
【００１１】
ストランドは区画に分割され、各部分は、織物状の翼状部（wing）になるように処理される。２つの部分への分割は、最も単純な分割であり、通常十分であるが、３つ以上の部分への分割も考えられる。さらに、部分は、同じサイズである必要はなく、それは、大部分の用途において当てはまる可能性がある。ストランドの各部分は、翼状部になるように織物状に処理される。それにより、２つのウェブは、少なくとも２つの翼状部によって互いに接続される。したがって、１つの要素には、少なくとも１つの連続したウェブ−翼状部−ウェブがある。それにより、ウェブにおいて織物状に処理されるストランドは、翼状部において分離し、次のウェブで再度一緒になる。それにより、翼状部は要素のループを形成する。
【００１２】
本発明によるループ構造体は、例えば、編組機で編組するか、又は織機で織ることができ、それにより、製造努力がほとんどなしに製造することができる。
【００１３】
有利には、ストランドは、要素の端部において互いに接続される。このように、意図せずに開くか又は編組がほぐれることからストランドを保護することができる。可撓性材料によっては、端部を接着する、溶接する、結び付ける、継ぎ合わせる、縫い合わせる、及び／又は融着するために使用することができる。
【００１４】
翼状部が織物状に輪形に加工される場合にも有利である。好ましくは、その後、要素の端部に位置するウェブ及び／又は翼状部は１つ以上の翼状部内に裏返される。これにより、ウェブ又は翼状部が突出しなくなるため、要素はそれらの端部においてより小型になる。さらに、翼状部の内側における裏返されたウェブ又は翼状部の更なる摩擦により、要素の引張強度が増大する。
【００１５】
ウェブから翼状部への（かつ逆に戻る）移行は、移行箇所まで、ウェブに対する全てのストランドが織物状に処理され、かつ、こうした移行箇所から、ストランドの半分が１つの翼状部になるように織物状に処理され、又は、ストランドの一部がいくつかの翼状部になるように織物状に処理されるように、実施することができる。しかしながら、それにより、翼状部の間の移行箇所において孔が現われ、それもまた引張強度を低下させる。したがって、隣接するウェブ及び翼状部の間に移行ゾーンが設けられ、この移行ゾーンがウェブの織物状加工パターンとは異なるが、翼状部のストランドが互いに交差及び／又は接続する場合、有利である。更なる交差部及び／又は接続部が孔を閉鎖し、これによってもまた、要素の引張強度が増大する。
【００１６】
ループ構造体の適用の目的に応じて、ストランドが天然繊維、合成繊維、ガラス繊維、炭素繊維、金属繊維、プラスチックワイヤー及び／又は金属ワイヤーを含む場合、有利である。それにより、所望の引張強度、密度、環境影響に対する抵抗又は導電性等の様々な特性が関心を引く。異なるストランドを織物状に処理することも可能である。
【００１７】
有利な更なる形態では、ループ構造体はリンクチェーンである。それにより、各要素は、厳密に２つのウェブと少なくとも２つの翼状部とを有する。それにより、翼状部のうちの２つはウェブを接続し、ループを形成する。リンクチェーンでは通常あるように、リンクチェーンの最初の要素及び最後の要素のループを除き、全てのループが２つの更なるループと各々組み合う。それにより、リンクチェーンは、製造努力がほとんどなくかつ略任意の長さで製造することができ、同時に、多くの目的で、例えば他のリンクチェーンの代替品として使用することができる。
【００１８】
ループ構造体は、前述の記載に従って形成され、指定された特徴は、個別に存在する場合もあれば、任意の組合せで存在する場合もある。
【００１９】
さらに、上述したループ構造体の製造方法を提案する。本発明によれば、少なくとも２つの原要素（original element）が、少なくとも部分的に可撓性材料のいくつかのストランドから、織物状に加工される。それにより、織物状処理は、特に、編組、織り、編み及び／又はメッシュ化として理解されるが、かぎ針編み又は連結等の他の方法も考えられる。原要素は、１つのウェブ、少なくとも２つの翼状部、再度１つのウェブを交互に有し、この一連のものは、要求に応じて繰り返すことができる。ウェブにおいて、原要素に割り当てられるストランドは織物状に処理され、織物状加工パターンは、大部分は自由に選択することができる。用途に応じて、例えば、平らな又は丸い織物状加工パターンが有利である場合がある。大部分は、ウェブの長さもまた、用途に応じて自由に選択することができる。ウェブは、更には、本質的に、ストランドのうちのいくつか又はそれより多くの１つのみの交差部であるように短いものとすることができる。さらに、（例えば、コア内の）ストランドのうちのいくつかは、織物状に処理されることなく伸びており、すなわち、それらは本質的に直線状であることが可能である。
【００２０】
ストランドは区画に分割され、そこでは、各翼状部はストランドの一部を備える。同様に翼状部において、ストランドの一部は、織物状に多分に自由に選択可能である加工パターンに従って、織物状に処理され、ここでも同様に、例えばコア内のストランドのうちのいくつかは、織物状に処理されずに伸びることができる。それにより、翼状部はループを形成し、異なる原要素のループが互いに組み合う。織物状加工は、比較的わずかな製造努力で自動化し操作することができる。
【００２１】
有利には、原要素のウェブ及び／又は翼状部のうちのいくつか又は全てが、ループ構造体の個々の要素を得るために切り離される。切離しは、特に、熱間切断等、切断及び／又は溶解によって行うことができる。いずれのウェブ又は翼状部が切り離されるかは、所望のループ構造体によって決まる。しかしながら、ウェブも翼状部も切り離されない原要素もある場合がある。
【００２２】
原要素は、織物状加工の後にかつ切離しの前に引き伸ばされる場合もまた有利であり、それにより、切離しをより正確に行うことができる。
【００２３】
ストランドが要素の端部において互いに接続される場合も有利である。このように、ストランドは、意図せずに開くか又は編組がほぐれることから保護される。可撓性材料によっては、端部を接着し、溶接し、結び付け、継ぎ合わせ、縫い合わせ、及び／又は融着するために使用することができる。
【００２４】
有利には、翼状部は、織物状に輪形に加工され、好ましくは、ウェブを切り離してストランドを接続した後に、要素の端部に位置するウェブ及び／又は翼状部は、１つ以上の翼状部内に裏返される。これにより、ウェブ又は翼状部が突出しなくなるため、要素がそれらの端部においてより小型になる。さらに、翼状部の内側における裏返されたウェブ又は翼状部の更なる摩擦により、要素の引張強度が増大する。
【００２５】
ウェブと翼状部との間で織物状の移行ゾーンが織物状に加工され、この移行ゾーンがウェブの織物状加工パターンとは異なるが、翼状部のストランドが互いに交差及び／又は接続する場合もまた、有利である。これにより、こうした移行ゾーンがない場合に生じる可能性がある、翼状部の間の孔が回避される。この孔がないことにより、要素の引張強度が増大する。
【００２６】
ループ構造体の適用の目的に応じて、ストランドが天然繊維、合成繊維、ガラス繊維、炭素繊維、金属繊維、プラスチックワイヤー及び／又は金属ワイヤーを含む場合、有利である。それにより、所望の引張強度、密度、環境影響に対する抵抗又は導電性等の様々な特性が関心を引く。
【００２７】
本発明の有利な更なる形態では、厳密に２つの原要素が織物状に加工され、原要素のループのうちの少なくともいくつかは交互に組み合う。原要素は、各々、互いに組み合うループのうちの２つの間で分離され、その結果、リンクチェーンがもたらされる。したがって、製造努力がほとんどなしに非常に汎用性のあるリンクチェーンが製造される。
【００２８】
最後に、織物状加工が、細幅織物を製造する機械で行われる場合に有利である。したがって、特に、バリエーション編組機（variation braider）、３Ｄ編組機、リボン織機、経編機及び／又は編機を用いて行われる。例えば、バリエーション編組機は、ボビン（clapper）を多くの異なる方法で移動させることができ、原要素が組み合うループで自動的に編組されるようにプログラムすることができる。それにより、バリエーション編組のサイズは、編組されるループ構造体の複雑性に対して適合されなければならない。
【００２９】
ループ構造体を製造する方法は、前述の記載に従って行われ、そこでは、指定された特徴は、個別に又は組み合わせて行うことができる。
【００３０】
本発明による要素は、ループといくつかのストランドとからなり、ストランドのうちの少なくともいくつかは可撓性材料から製造される。要素のストランドは、要素の長手方向に互いに間隔を空けて配置される少なくとも２つのウェブになるように、織物状に処理され、特に、編組され、織られ、編まれ、及び／又はメッシュにされる。ストランドはまた区画に分割され、各部分は、翼状部になるように織物状に処理され、少なくとも２つの翼状部はウェブのうちの２つを互いに接続し、ループは翼状部から形成される。本発明による要素は、例えば、リングとして使用することができ、リングは、多くの異なる方法で使用することができる。
【００３１】
ストランドは、好ましくは、要素の端部において互いに接続され、特に、接着され、溶接され、結び付けられ、継ぎ合わされ、縫い合わされ、及び／又は融着される。したがって端部は保護され、これにより、要素が使用されるとき、ストランドの織物接続部が溶解するのが有利に防止される。
【００３２】
翼状部は、好ましくは、織物状に輪形に加工され、要素の端部に位置するウェブ及び／又は翼状部は、好ましくは、１つ以上の翼状部内に裏返される。これにより、ストランドの端部における損傷から保護される閉鎖リングの外観がもたらされる。
【００３３】
有利には、隣接するウェブ及び翼状部の間に移行ゾーンが設けられ、この移行ゾーンは、ウェブの織物状加工パターン、特に、編組パターン、織パターン、編パターン及び／又はメッシュパターンとは異なるが、翼状部のストランドは互いに交差及び／又は接続する。これにより、翼状部の間に孔が形成されることが防止される。これにより、リングは更により安定する。
【００３４】
ストランドは、好ましくは、天然繊維、合成繊維、ガラス繊維、炭素繊維、金属繊維、プラスチックワイヤー及び／又は金属ワイヤーを含む。これにより、要素の意図された使用を特に十分に理解することができる。
【００３５】
本発明の更なる利点は、以下の実施形態に記載する。
【図面の簡単な説明】
【００３６】
【図１】ループ構造体の要素の概略図である。
【図２】ループ構造体の更なる要素を通る断面の概略図である。
【図３ａ】ループ構造体の更なる要素を通る断面の概略図である。
【図３ｂ】図３ａからのループ構造体の要素を通る断面の概略図である。
【図４】ループ構造体の更なる要素の概略図である。
【図５ａ】ループ構造体の断面の概略図である。
【図５ｂ】図５ａからのループ構造体の断面の更なる概略図である。
【図６ａ】更なるループ構造体の断面の概略図である。
【図６ｂ】図６ａからのループ構造体の断面の更なる概略図である。
【図６ｃ】図６ａからのループ構造体の断面の更なる概略図である。
【図７ａ】更なるループ構造体の断面の概略図である。
【図７ｂ】図７ａからのループ構造体の断面の更なる概略図である。
【図７ｃ】図７ａからのループ構造体の断面の更なる概略図である。
【図７ｄ】図７ａからのループ構造体の断面の更なる概略図である。
【図８ａ】更なるループ構造体の断面の概略図である。
【図８ｂ】図８ａからのループ構造体の断面の更なる概略図である。
【図９】更なるループ構造体の概略図である。
【発明を実施するための形態】
【００３７】
図１は、ループ構造体の要素１の概略図を示す。それにより、要素１の一端に、ストランド２（要素１はこのストランド２から編組される）を示す。要素１はまた、織り、編み、メッシュにし、かぎ針編みし、及び／又は結び付けることもできる。明確にするために、ストリング２のうちの２つのみに参照符号を与えている。好ましくは、こうしたストランド２は、要素１の端部において互いに接続され、その結果、端部は開かず、編組がほぐれることはない。
【００３８】
要素１は、要素１の長手方向において互いに間隔を空けて配置される２つのウェブ３を有する。ウェブ３では、要素１の全てのストランド２が編組される。それにより、点線は、単に、要素１の個々の領域の境界を示す。
【００３９】
２つのウェブ３を互いに接続する要素１の２つの翼状部４において、ストランド２の半分のみが編組される。それにより、翼状部４はループ５を囲む。
【００４０】
ウェブ３と翼状部４との間に配置される任意選択的な移行ゾーン６において、個々の翼状部４に割り当てられるストランド２は互いに交差する。しかしながら、移行ゾーン６における編組パターンは、ウェブ３における編組パターンとは異なる。これにより、ウェブが翼状部になる箇所において孔が生じることが回避される。
【００４１】
代替的な例示的な実施形態の以下の説明では、他の例示的な実施形態と比較して、設計及び／又は動作モードが同一である及び／又は少なくとも同等である特徴に対して、同じ参照符号を使用する。こうしたことが再度詳細に記載されない範囲で、設計及び／又は動作モードは、上述した特徴の設計及び動作モードに対応する。
【００４２】
図２は、ループ５を備える要素１を通る切取図を示す。図２の要素１では、翼状部４は輪形状に編組されている。要素１の端部におけるストランド２が互いに接続された後、ウェブ３は各々１つの翼状部４内に裏返される。図２において、２つのウェブ３は異なる翼状部４内に裏返されているが、同じ翼状部４内に裏返すこともできる。ウェブ３を翼状部内に裏返すことにより、要素１がより小型になり、ウェブ３と翼状部４の内側との間の更なる摩擦によってもまた、要素１の引張強度が増大する。
【００４３】
図３ｂは、要素１の更なる例示的な実施形態を示し、ウェブ３の各々は２つの翼状部４内に裏返されている。これにより、特に対称的な要素１がもたらされる。
【００４４】
図３ａに示す要素１の例示的な実施形態では、ウェブ３は非常に短く編組されている。或る程度、ウェブ３は、単に、各々がウェブ３の左側及び右側に位置する翼状部４の交差部である。
【００４５】
その時点で、自由翼状部４が、ループ５を形成する翼状部４内に裏返される場合、略図は図３ｂに示す要素１を示す。
【００４６】
図４に示す例示的な実施形態の要素１は織られている。ここでも同様に、ウェブ３は、単に、翼状部４の交差部である。
【００４７】
図５ａは、２つの原要素８を備えるループ構造体７の断面を示す。それにより、ループ構造体７は、左側に及び／又は右側に続くことができる。原要素８のハッチングは、単に、よりよい理解という目的を果たすものである。
【００４８】
原要素８の各々は、連続した１つのウェブ３、２つの翼状部４、１つのウェブ３、２つの翼状部４等を有する。そうすることにより、翼状部４の間にループ５が形成される。明確にするために、全てのウェブ３、翼状部４及びループ５には参照符号を設けていない。
【００４９】
２つの原要素８のループ５は、常に交互に組み合うように配置される。したがって、原要素８のうちの一方のループ５は、他方の原要素８の２つの隣接するループ５と常に組み合う。こうした構造体は、例えば、バリエーション編組機において容易に編組することができる。
【００５０】
図５ａの原要素からリンクチェーンとして形成されたループ構造体７を得るために、原要素８はそれらのウェブ３において切り離される。その結果は、図５ｂに示すループ構造体７であり、ループ構造体７は多くの個々の要素１からなり、そのループ５は交互に組み合い、その結果、リンクチェーンがもたらされる。
【００５１】
ウェブ３を切り離した後、要素１の端部においてストランドを互いに接続することができ、ウェブ３は翼状部４内に裏返すことができる。
【００５２】
図６ａは、図５ａからの例示的な実施形態の変形を示す。図５ａにおける例示的な実施形態とは対照的に、ウェブ３は非常に短く維持され、更なる翼状部４が設けられ、その更なる翼状部は、他のループ５と組み合わないループ５を形成する。
【００５３】
図６ｂに示すように、リンクチェーンとして形成されるループ構造体７を得るために、ループ５の翼状部４が切り離され、それら翼状部は他のループ５と組み合わない。
【００５４】
その後、自由翼状部４が輪形翼状部４内に裏返されると、図６ｃに示すリンクチェーンがもたらされる。
【００５５】
図７ａは、ループ構造体７の更なる例示的な実施形態を示す。こうしたループ構造体７は、３つの原要素８を有する。それにより、図７ａにおいて上方及び下方に示す原要素８のウェブ３は、中間原要素８のウェブ３と比較される。
【００５６】
中間原要素８の各ループ５は、上部原要素８及び下部原要素８の各々の１つのループ５と組み合い、上部原要素８のループ５及び下部原要素８のループ５は、中間原要素８の２つの隣接するループ５と組み合う。
【００５７】
その時点で、中間原要素８のウェブ３は切り離される。それにより、中間原要素８は、複数の要素１に分解される。一方、上部原要素８及び下部原要素８は切り離されない。これにより、図７ｂに示すループ構造体７がもたらされる。それにより、ループ構造体７の上部要素１及び下部要素１は複数のループ５を有し、一方で、中間要素１の各々は１つのループ５のみを有する。
【００５８】
その時点で、図７ｃに示すように、上部要素１及び下部要素１がわずかに引き離されると、上部要素１及び下部要素１が複数の中間要素１によってジグザグ形状に接続されていることが明らかとなる。
【００５９】
さらに、図７ｄに示すように、中間要素１が１つおきに除去されると、縄梯子として形成されるループ構造体７が得られる。
【００６０】
図８ａは、原要素８を備えたループ構造体７を示し、それにより、ストランド２は３つの部分になるように区画に分割され、その結果、ウェブ３は３つの翼状部４に分割される。
【００６１】
中間原要素８のウェブ３を切り離し、中間要素１を１つおきに除去した後、図８ｂに示すループ構造体７（図７ａ〜図７ｄと類似）が得られる。追加のループ５を使用して、例えば、ループ構造体７を他の構成要素と接続することができる。
【００６２】
最後に、図９は、ループ構造体７の更なる例示的な実施形態を示す。このループ構造体は５つの原要素８を有し、任意の数の原要素８への一般化が明らかである。各原要素８が図示する４つ以上のループ５を有することができることも明らかである。
【００６３】
各隣接する原要素８のループ５は、互いに組み合い、その結果、網状構造体が形成される。したがって、ループ構造体７は、非常にスペース節約的であるように折り畳むこともできる、結び目のない網である。
【００６４】
この例示的な実施形態では、原要素８のウェブ３は切り離されない。しかしながら、ウェブ３のうちのいくつか、例えば１つおきの原要素８のウェブ３が切り離されることが考えられる。したがって、ループ構造体７は網のままであるが、ウェブ３が切り離されていない網として形成されるループ構造体７と比較して、可撓性、伸縮性及びメッシュサイズに関して異なる特性を有する。
【００６５】
本発明は、例示し記載した実施形態に限定されない。特に、ループの可変の組合いにより、複数のループ構造体を製造することができる。特徴の組合せと同様に、請求項の範囲内の更なる変形が、異なる実施形態において例示され記載されている場合であっても、可能である。
【符号の説明】
【００６６】
１  要素
２  ストランド
３  ウェブ
４  翼状部
５  ループ
６  移行ゾーン
７  ループ構造体
８  原要素
【図１】
2020516778.tif 000003
【図２】
2020516778.tif 000004
【図３ａ】
2020516778.tif 000005
【図３ｂ】
2020516778.tif 000006
【図４】
2020516778.tif 000007
【図５ａ】
2020516778.tif 000008
【図５ｂ】
2020516778.tif 000009
【図６ａ】
2020516778.tif 000010
【図６ｂ】
2020516778.tif 000011
【図６ｃ】
2020516778.tif 000012
【図７ａ】
2020516778.tif 000013
【図７ｂ】
2020516778.tif 000014
【図７ｃ】
2020516778.tif 000015
【図７ｄ】
2020516778.tif 000016
【図８ａ】
2020516778.tif 000017
【図８ｂ】
2020516778.tif 000018
【図９】
2020516778.tif 000019
【国際調査報告】
2020516778.tif 000020
2020516778.tif 000021
2020516778.tif 000022
2020516778.tif 000023
2020516778.tif 000024
2020516778.tif 000025